(57)【要約】【課題】除霜運転時に発生する水蒸気の氷結を抑制する空気調和機の室外機を提供する。【解決手段】筐体５０と、筐体５０の内部に設けられた室外熱交換器２１と、筐体５０の内部に設けられ、室外熱交換器２１に送風する室外ファン２２と、室外ファン２２を回転させる室外ファンモータ２３と、室外ファンモータ２３を制御する制御手段７と、を備え、制御手段７は、室外熱交換器２１が凝縮器として機能する除霜運転開始後、予め設定された設定値、又は外部から入力された入力値及び該入力値に関連する基準値に基づいて、室外ファンモータ２３を制御する。【選択図】図６
2015121358.tif 000002
【特許請求の範囲】
【請求項１】
筐体と、
前記筐体の内部に設けられた室外熱交換器と、
前記筐体の内部に設けられ、前記室外熱交換器に送風する室外ファンと、
前記室外ファンを回転させる室外ファンモータと、
前記室外ファンモータを制御する制御手段と、を備え、
前記制御手段は、
前記室外熱交換器が凝縮器として機能する除霜運転開始後、予め設定された設定値、又は外部から入力された入力値及び該入力値に関連する基準値に基づいて、前記室外ファンモータを制御する
ことを特徴とする空気調和機の室外機。
【請求項２】
前記制御手段は、
前記設定値に相当する基準時間が経過すると、前記室外ファンが回転するように前記室外ファンモータを制御する
ことを特徴とする請求項１に記載の空気調和機の室外機。
【請求項３】
前記室外熱交換器の温度を検知する温度検知手段をさらに備え、
前記制御手段は、
前記入力値に相当する前記温度検知手段の検知値が前記基準値以上である場合に、前記室外ファンが回転するように前記室外ファンモータを制御する
ことを特徴とする請求項１に記載の空気調和機の室外機。
【請求項４】
前記室外熱交換器の温度を検知する温度検知手段をさらに備え、
前記制御手段は、
前記入力値に相当する前記温度検知手段の検知値に基づいて、前記室外熱交換器の単位時間あたりの温度上昇率を算出し、前記温度上昇率が前記基準値以上である場合に、前記室外ファンが回転するように前記室外ファンモータを制御する
ことを特徴とする請求項１に記載の空気調和機の室外機。
【請求項５】
前記筐体の内部に設けられた結露検知手段をさらに備え、
前記制御手段は、
前記入力値に相当する前記結露検知手段の検知値が前記基準値以上である場合に、前記室外ファンが回転するように前記室外ファンモータを制御する
ことを特徴とする請求項１に記載の空気調和機の室外機。
【請求項６】
除霜運転中の前記室外ファンの回転方向は、暖房運転中の前記室外ファンの回転方向とは逆方向である
ことを特徴とする請求項１〜請求項５の何れか一項に記載の空気調和機の室外機。
【請求項７】
除霜運転中の前記室外ファンの回転数は、暖房運転中の前記室外ファンの回転数の半分未満である
ことを特徴とする請求項１〜請求項６の何れか一項に記載の空気調和機の室外機。
【発明の詳細な説明】
【技術分野】
【０００１】
本発明は、空気調和機の室外機に関する。
【背景技術】
【０００２】
ヒートポンプ式空気調和機においては、室外熱交換器が蒸発器となる暖房運転時に、室外熱交換器に着霜（フロスト）することで熱交換が阻害されることがある。このため、このようなヒートポンプ式空気調和機においては、着霜が検知された場合に、霜を取り除く除霜運転を実施するようになっているのが一般的である。
【０００３】
除霜運転が実施されると、室外機熱交換器に付着していた霜は溶けてドレン水、水蒸気となる。除霜運転を実施することで発生したドレン水は、室外機の筐体の底面部を構成する底面パネルの上面に滴下した後、底面パネルに形成されたドレン排出用の穴を通って室外機外部へ排出される。ここで従来、除霜運転の開始後に、室外熱交換器の温度を検出するサーミスタの温度が所定の除霜終了温度を超えたとき、除霜運転を終了する空気調和機があった（例えば、特許文献１）。
【先行技術文献】
【特許文献】
【０００４】
【特許文献１】特開平１１−９４３３０号公報（［００１５］、図３）
【発明の概要】
【発明が解決しようとする課題】
【０００５】
ここで、室外機が、従来のような寒冷地に加えて極寒冷地（外気温度が０℃以下）に設置される場合がある。極寒冷地においては、室外熱交換器及び筐体の表面温度が外気温度と同様に０℃以下になる。
【０００６】
このため、特許文献１に記載の空気調和機の室外機においては、極寒冷地では、除霜運転中でも筐体の表面温度は０℃以下であり、除霜運転時に発生した水蒸気は、筐体内部に滞留し、室外機の外部に排出される前に筐体内部で氷結するという課題があった。したがって、水蒸気が氷結した氷が、室外ファンを欠損させたり、室外ファンを駆動する室外ファンモータに故障させてしまう場合があるという課題があった。
【０００７】
本発明は、上述のような課題を解決するためになされたものであり、除霜運転時に発生する水蒸気が筐体の内部で氷結することを抑制する空気調和機の室外機を提供することを目的とする。
【課題を解決するための手段】
【０００８】
本発明の空気調和機の室外機は、筐体と、前記筐体の内部に設けられた室外熱交換器と、前記筐体の内部に設けられ、前記室外熱交換器に送風する室外ファンと、前記室外ファンを回転させる室外ファンモータと、前記室外ファンモータを制御する制御手段と、を備え、前記制御手段は、前記室外熱交換器が凝縮器として機能する除霜運転開始後、予め設定された設定値、又は外部から入力された入力値及び該入力値に関連する基準値に基づいて、前記室外ファンモータを制御するものである。
【発明の効果】
【０００９】
本発明によれば、室外熱交換器が凝縮器として機能する除霜運転後、予め設定された設定値、又は外部から入力された入力値及び該入力値に関連する基準値に基づいて、室外ファンモータを制御する。このため、除霜運転を行うことで発生した水蒸気を、筐体の外部に排出することができる。したがって、除霜運転中に発生した水蒸気が筐体の内部で氷結することを抑制できる。
【図面の簡単な説明】
【００１０】
【図１】本発明の実施の形態１に係る空気調和機３００の概略図を示す図である。
【図２】本発明の実施の形態１に係る空気調和機３００の冷凍サイクルを示す図である。
【図３】本発明の実施の形態１に係る空気調和機３００の室外機１００の全体斜視図である。
【図４】本発明の実施の形態１に係る空気調和機３００の室外機１００の分解斜視図である。
【図５】図３のＸ−Ｘ断面図である。
【図６】本発明の実施の形態１に係る空気調和機３００の室外機１００の運転時のフローチャートを示す図である。
【図７】本発明の実施の形態２に係る空気調和機３００の室外機１００の運転時のフローチャートを示す図である。
【図８】本発明の実施の形態３に係る空気調和機３００の室外機１００の運転時のフローチャートを示す図である。
【図９】本発明の実施の形態３に係る空気調和機３００の運転時間に対する温度検知手段６の検知温度の変化を示す図である。
【図１０】本発明の実施の形態４に係る空気調和機３００の室外機１００の運転時のフローチャートを示す図である。
【発明を実施するための形態】
【００１１】
実施の形態１．
以下、図面に基づいて本発明の実施の形態について説明する。なお、図１を含め、以下の図面では各構成部材の大きさの関係が実際のものとは異なる場合がある。また、図１を含め、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１２】
図１は本発明の実施の形態１に係る空気調和機３００の概略図を示す図である。図１に示されるように、空気調和機３００は、室外機１００と、室内機２００と、冷媒配管２５０と、を備える。室外機１００の構成については図３、図４を用いて詳しく説明する。冷媒配管２５０は、室外機１００と室内機２００とを接続する配管である。冷媒配管２５０は、室外機１００の内部の冷媒を室内機２００に供給し、室内機２００の内部の冷媒を室外機１００に供給するための配管である。
【００１３】
図２は本発明の実施の形態１に係る空気調和機３００の冷凍サイクルを示す図である。図２に示されるように、空気調和機３００の冷凍サイクルは、圧縮機１１、四方弁２、接続バルブ３、室内熱交換器１２１、接続バルブ４、電子膨張弁５、温度検知手段６、制御手段７、室外熱交換器２１を備える。なお、点線矢印は、暖房運転時に冷媒が流れる方向を示している。また、実線矢印は、除霜運転時に冷媒が流れる方向を示している。
【００１４】
温度検知手段６は、室外熱交換器２１付近の温度を測定するものであり、例えばサーミスタで構成される。制御手段７は、温度検知手段６等の検知値に基づいて空気調和機３００を制御するものである。制御手段７は、例えば、この機能を実現する回路デバイスなどのハードウェア、又はマイコン若しくはＣＰＵなどの演算装置上で実行されるソフトウェアで構成される。
【００１５】
以下に、暖房運転時及び除霜運転時における冷媒の流れについて説明する。まず、例えば使用者がリモートコントローラ（図示省略）を用いて暖房運転を設定することで、暖房運転を開始するための制御が行われる。具体的には、制御手段７は、圧縮機１１を回転させる制御や、四方弁２を暖房側に設定する制御等を行う。暖房運転時において、冷媒は、圧縮機１１、四方弁２、接続バルブ３、室内熱交換器１２１、接続バルブ４、電子膨張弁５、室外熱交換器２１、四方弁２の順に流れ、再び圧縮機１１に戻る。
【００１６】
暖房運転が行われている状態で、例えば、使用者がリモートコントローラ（図示省略）を用いて除霜運転を設定したり、暖房運転の開始後一定時間が経過することで、除霜運転を開始するための制御が行われる。具体的には、制御手段７が、圧縮機１１の運転を停止させ、四方弁２を冷房側に切り替え、圧縮機１１の運転を再度開始する制御等を行う。除霜運転時において、冷媒は、圧縮機１１、四方弁２、室外熱交換器２１、電子膨張弁５、接続バルブ４、室内熱交換器１２１、接続バルブ３、四方弁２の順に流れ、再び圧縮機１１に戻る。
【００１７】
図３は本発明の実施の形態１に係る空気調和機３００の室外機１００の全体斜視図である。図４は本発明の実施の形態に係る空気調和機３００の室外機１００の分解斜視図である。以下に、室外機１００の構成について説明する。
【００１８】
図３に示されるように、室外機１００の外郭は筐体５０で構成される。図４に示されるように、筐体５０は、前側面パネル５０ａ、右側面パネル５０ｂ、底面パネル５０ｃ、天面パネル５０ｄ及び背面パネル５０ｅ（図５）で構成される。前側面パネル５０ａは、筐体５０の前面側及び左側面側を構成するものであり、例えば平面視Ｌ字形状の部材で構成される。また、図４に示されるように、筐体５０の内部には仕切板１が設けられている。仕切板１が設けられることで、筐体５０の内部は機械室１０及び送風機室２０に区画される。
【００１９】
機械室１０には、圧縮機１１及び電気品箱１２が設けられる。電気品箱１２の内部には、制御手段７（図２）が設けられている。送風機室２０には、室外熱交換器２１、室外ファン２２、室外ファンモータ２３（図５）、室外ファンモータ支持板２４、上部板２５、及び支持板接続部２６が設けられる。室外熱交換器２１は、室外ファン２２、室外ファンモータ２３、室外ファンモータ支持板２４、上部板２５、及び支持板接続部２６よりも室外機１００の背面側に設けられるようになっている。
【００２０】
室外熱交換器２１は、例えば平面視してＬ字形状のものであり、前側面パネル５０ａの左側面側の面、及び背面パネル５０ｅに沿うように設けられる。室外ファン２２は、例えばプロペラ室外ファンで構成される送風手段であり、熱交換を効率的に行うための空気循環を生成する。室外ファン２２は、室外機１００の背面側から室外機１００内部に外気を導入し、室外機１００内部に導入された外気を室外機１００の前面側に向かって排出する機能を有する。
【００２１】
室外ファンモータ２３は、室外ファン２２を駆動する駆動手段であり、例えばネジ等の固定手段を用いて室外ファンモータ支持板２４に取り付けられる。室外ファンモータ支持板２４は、室外ファンモータ２３を支持するためのものであり、底面パネル５０ｃから上方に向かう枠状の部材である。なお、室外ファンモータ支持板２４は図示のように一つでなく複数設けられていてもよい。
【００２２】
上部板２５は、例えば底面パネル５０ｃと略水平に設けられる板状の部材である。上部板２５は、室外ファンモータ２３が大型化した場合を考慮して、室外ファンモータ支持板２４の強度補強を図るための部材であり、室外ファンモータ支持板２４に接続されている。上部板２５は、例えば室外ファンモータ支持板２４の最上端から前方に向かうようにして取り付けられる。
【００２３】
支持板接続部２６は、例えばＵ字形状の部材であり、室外ファンモータ支持板２４と一体で構成される。支持板接続部２６は、その内面が室外熱交換器２１の上面に接触するようにして設けられている。このように、支持板接続部２６が室外熱交換器２１に取り付けられることで、室外ファンモータ支持板２４は、室外熱交換器２１に固定される。
【００２４】
図５は図３のＸ−Ｘ断面図である。なお、図５においては、暖房運転時における空気流れを模式的に矢印で空気流れＡとして示している。以下、図５を用いて筐体５０の内部及び外部に形成される風路について説明する。
【００２５】
室外ファンモータ２３が駆動されると室外ファン２２が回転し、外気は、筐体５０内部に導入される。筐体５０内部に導入された外気は、室外熱交換器２１を通って室外ファンモータ支持板２４等の部材に吹き付けられる。このように筐体５０内部を循環した外気は、開口部５０ａ１を通って筐体５０外部に排出される。
【００２６】
図６は本発明の実施の形態１に係る空気調和機３００の室外機１００の運転時のフローチャートを示す図である。図６を用いて、空気調和機３００の暖房運転が開始された後に行われるステップＳ１０１〜ステップＳ１０６について説明する。
【００２７】
ステップＳ１０１において、制御手段７は、温度検知手段６の検知値がＬ℃以下であるか否かを判定する。ステップＳ１０１において、制御手段７は、温度検知手段６の温度がＬ℃以下であると判定した場合には（ステップＳ１０１でＹＥＳ）、室外熱交換器２１が着霜したと判定し、ステップＳ１０２に進む。一方、ステップＳ１０１において、制御手段７は、温度検知手段６の温度がＬ℃を上回ると判定した場合には（ステップＳ１０１でＮＯ）、ステップＳ１０１の判定処理を再度行う。
【００２８】
ステップＳ１０２において、制御手段７は、除霜運転を開始するための制御を行う。上述したように、除霜運転が開始された状態において、室外熱交換器２１が凝縮器として機能し、室内熱交換器１２１が蒸発器として機能し、室外ファン２２の回転は停止している。
【００２９】
ステップＳ１０３において、制御手段７は、除霜運転を開始（圧縮機１１の回転を開始）してから例えば１分（基準時間）経過したか否かを判定する。ここで基準時間は、予め設定された設定値であり、例えば制御手段７に記憶されている。ステップＳ１０３において、制御手段７は、除霜運転を開始してから１分経過したと判定した場合には（ステップＳ１０３でＹＥＳ）、ステップＳ１０４に進む。一方、ステップＳ１０３において、制御手段７は、除霜運転を開始してから１分経過していないと判定した場合には（ステップＳ１０３でＮＯ）、ステップＳ１０３の判定処理を再度行う。
【００３０】
ステップＳ１０４において、制御手段７は、停止している室外ファン２２を回転させるように、室外ファンモータ２３を制御し、ステップＳ１０５に進む。ステップＳ１０４における具体的な処理は例えば、制御手段７が、室外ファン２２の回転方向を、暖房運転時の室外ファン２２の回転方向と同一となるように、室外ファンモータ２３を制御する。また、制御手段７は、室外ファン２２の回転数を、暖房運転時の室外ファン２２の回転数と同一となるように、室外ファンモータ２３を制御する。ステップＳ１０５において、制御手段７は、温度検知手段６の検知値がＨ℃以上であるか否かを判定する。
【００３１】
ステップＳ１０５において、制御手段７は、温度検知手段６がＨ℃以上であると判定した場合には（ステップＳ１０５でＹＥＳ）、ステップＳ１０６に進む。一方、ステップＳ１０５において、制御手段７は、温度検知手段６がＨ℃未満であると判定した場合には（ステップＳ１０５でＮＯ）、ステップＳ１０４に戻る。ステップＳ１０６において、制御手段７は、除霜運転を終了し、暖房運転中の回転数で室外ファン２２を駆動させるように室外ファンモータ２３を制御し、ステップＳ１０１に戻る。
【００３２】
以上のように、本発明の実施の形態１に係る空気調和機３００の室外機１００は、筐体５０と、筐体５０の内部に設けられた室外熱交換器２１と、筐体５０の内部に設けられ、室外熱交換器２１に送風する室外ファン２２と、室外ファン２２を回転させる室外ファンモータ２３と、室外ファンモータ２３を制御する制御手段７と、を備え、制御手段７は、室外熱交換器２１が凝縮器として機能する除霜運転開始後、予め設定された設定値、又は外部から入力された入力値及び該入力値に関連する基準値に基づいて、室外ファンモータ２３を制御するものである。このため、除霜運転を行うことで発生した水蒸気を、筐体５０の外部に排出することができる。このため、除霜運転中に発生した水蒸気が筐体５０の内部で氷結することを抑制できる。
【００３３】
なお、以上の説明においては、ステップＳ１０３において、制御手段７が、除霜運転を開始してから１分（基準時間）経過したか否かを判定する例について説明したが、これに限定されない。基準時間の具体的な数値は、筐体５０の内部の霜が融解して水蒸気が発生するような数値であればよい。
【００３４】
また、以上の説明においては、ステップＳ１０４において、制御手段７が、室外ファン２２の回転方向を、暖房運転時の室外ファン２２の回転方向と同一方向となるように、室外ファンモータ２３を制御する例について説明したが、これに限定されない。例えば、ステップＳ１０４において、制御手段７が、室外ファン２２の回転方向を、暖房運転時の室外ファン２２の回転方向と逆方向となるように、室外ファンモータ２３を制御してもよい。このようにすれば、室外ファン２２が回転することで形成された風路内に筐体５０の内部で発生した水蒸気を導かないで室外機１００の外部に排出することができる。したがって、霜が融解して生成された水蒸気の氷結を抑制できる。特に、水蒸気の凍結して生成された氷が、室外熱交換器２１よりも前面側に設けられている室外ファン２２や前側面パネル５０ａに付着することを抑制できる。
【００３５】
また、以上の説明においては、ステップＳ１０４において、制御手段７が、室外ファン２２の回転数を、暖房運転時の室外ファン２２の回転数と同一となるように、室外ファンモータ２３を制御する例について説明したが、これに限定されない。例えば、ステップＳ１０４において、制御手段７が、室外ファン２２の回転数を、暖房運転時の室外ファン２２の回転数よりも小さくするように、室外ファンモータ２３を制御してもよい。このようにすれば、除霜運転時の熱漏洩を最小限に抑えることができる。したがって、除霜運転時間が長引くことを抑制できる。
【００３６】
実施の形態２．
図７は本発明の実施の形態２に係る空気調和機３００の室外機１００の運転時のフローチャートを示す図である。図７を用いて、空気調和機３００の暖房運転が開始された後に行われるステップＳ２０１〜ステップＳ２０６について説明する。なお、ステップＳ１０１〜ステップＳ１０６と同一の運転内容については適宜説明を省略するものとする。
【００３７】
ステップＳ２０１はステップＳ１０１と同一の内容であり、ステップＳ２０２はステップＳ１０２と同一の内容であるため、説明を省略する。
【００３８】
ステップＳ２０３において、制御手段７は、温度検知手段６の検知温度が例えば５℃（基準値）以上であるか否かを判定する。ここで温度検知手段６の検知温度は、外部から入力された入力値である。また、基準値は、温度検知手段６の検知温度（入力値）に関連する値であり、例えば予め制御手段７に記憶されている。ステップＳ２０３において、制御手段７は、除霜運転を開始してから温度検知手段６の検知温度が５℃以上であると判定した場合には（ステップＳ２０３でＹＥＳ）、ステップＳ２０４に進む。一方、ステップ２０３において、制御手段７は、除霜運転を開始してから温度検知手段６の検知温度が５℃未満であると判定した場合には（ステップＳ２０３でＮＯ）、ステップＳ２０３の判定処理を再度行う。なお、上述の温度検知手段６の検知温度の５℃は、実験を行うことによって得られた値である。
【００３９】
ステップＳ２０４はステップＳ１０４と同一の内容であり、ステップＳ２０５はステップＳ１０５と同一の内容であり、ステップＳ２０６はステップＳ１０６と同一の内容であるため、説明を省略する。
【００４０】
以上のように、本発明の実施の形態２に係る空気調和機３００の室外機１００は、制御手段７が、温度検知手段６の検知温度が５℃以上である場合に、室外ファン２２を回転させるように室外ファンモータ２３を制御している。このため、実施の形態１と同様の効果を奏することができる。
【００４１】
なお、以上の説明においては、ステップＳ２０３において、制御手段７が、温度検知手段６が５℃以上であるか否かを判定する例について説明したが、これに限定されない。基準値の具体的な数値は、筐体５０の内部の霜が融解して水蒸気が発生するような数値であればよい。
【００４２】
実施の形態３．
図８は本発明の実施の形態３に係る空気調和機３００の室外機１００の運転時のフローチャートを示す図である。図８を用いて、空気調和機３００の暖房運転が開始された後に行われるステップＳ３０１〜ステップＳ３０６について説明する。なお、ステップＳ１０１〜ステップＳ１０６と同一の運転内容については適宜説明を省略するものとする。
【００４３】
ステップＳ３０１はステップＳ１０１と同一の内容であり、ステップＳ３０２はステップＳ１０２と同一の内容であるため、説明を省略する。
【００４４】
ステップＳ３０３において、制御手段７は、除霜運転を開始してからの温度上昇率ｄが例えば０．２５℃／秒（基準値）以上であるか否かを判定する。ここで温度検知手段６の検知温度は、外部から入力された入力値である。また、基準値は、温度検知手段６の検知温度（入力値）に関連する値であり、例えば予め制御手段７に記憶されている。制御手段７は、温度検知手段６の検知値に基づいて、室外熱交換器２１の単位時間あたりの温度上昇率ｄを算出する。ステップＳ３０３において、制御手段７は、除霜運転を開始してから温度上昇率ｄが０．２５℃／秒以上であると判定した場合には（ステップＳ３０３でＹＥＳ）、ステップＳ３０４に進む。一方、ステップＳ３０３において、制御手段７は、除霜運転から温度上昇率ｄが０．２５℃／秒未満であると判定した場合には（ステップＳ３０３でＮＯ）、ステップＳ３０３の判定処理を再度行う。なお、上述の温度上昇率ｄの０．２５℃／秒は、実験を行うことによって得られた値である。
【００４５】
ステップＳ３０４はステップＳ１０４と同一の内容であり、ステップＳ３０５はステップＳ１０５と同一の内容であり、ステップＳ３０６はステップＳ１０６と同一の内容であるため、説明を省略する。
【００４６】
図９は本発明の実施の形態３に係る空気調和機３００の運転時間に対する温度検知手段６の検知温度の変化を示す図である。図９に示されるように、横軸は空気調和機３００の運転時間を示し、縦軸は温度検知手段６の検知温度を示している。図示の温度上昇率ｄは、図９の所定温度幅ｇを図９の所定時間幅ｔで除することで算出される値である。温度上昇率ｄは、水蒸気が発生する除霜運転後半に急激に上昇する。
【００４７】
暖房運転を開始してから除霜運転を開始するまでの期間（図９中の（ａ））は、室外熱交換器２１は蒸発器として機能する。このため、室外ファン２２が回転することで室外熱交換器２１に導入された空気は、室外熱交換器２１の冷媒と熱交換して放熱した後に、室外機１００の外部に放出される。したがって、温度検知手段６の検知値は次第に下がっていく。
【００４８】
除霜運転を開始してから室外ファン２２が回転するまでの期間（図９中の（ｂ））は、室外熱交換器２１は凝縮器としての機能を有する。このため、室外ファン２２が回転することで室外熱交換器２１に導入された空気は、室外熱交換器２１の冷媒と熱交換して吸熱した後に、室外機１００の外部に放出される。したがって、温度検知手段６の検知値は次第に上がっていく。
【００４９】
室外ファン２２が回転してから除霜運転を終了するまでの期間（図９中の（ｃ））は、室外ファン２２が回転している。このため、（図９中の（ｃ））の温度上昇率ｄは、（図９中の（ｂ））の温度上昇率ｄよりも高くなる。
【００５０】
除霜運転を終了した後には暖房運転が行われるため、室外熱交換器２１は蒸発器として機能する。このため、室外ファン２２が回転することで室外熱交換器２１に導入された空気は、室外熱交換器２１の冷媒と熱交換して放熱した後に、室外機１００の外部に放出される。したがって、温度検知手段６の検知値は次第に下がっていく。
【００５１】
以上のように、本発明の実施の形態３に係る空気調和機３００の室外機１００は、制御手段７が、除霜運転を開始してからの温度上昇率ｄが０．２５℃／秒以上である場合に、室外ファン２２を回転させるように室外ファンモータ２３を制御している。このため、実施の形態１と同様の効果を奏することができる。
【００５２】
なお、以上の説明においては、ステップＳ３０３において、制御手段７が、除霜運転を開始してから温度上昇率ｄが０．２５℃／秒以上であるか否かを判定する例について説明したが、これに限定されない。基準値の具体的な数値は、筐体５０の内部の霜が融解して水蒸気が発生するような数値であればよい。
【００５３】
実施の形態４．
図１０は本発明の実施の形態４に係る空気調和機３００の室外機１００の運転時のフローチャートを示す図である。図１０を用いて、空気調和機３００の暖房運転が開始された後に行われるステップＳ４０１〜ステップＳ４０６について説明する。なお、ステップＳ１０１〜ステップＳ１０６と同一の運転内容については適宜説明を省略するものとする。
【００５４】
ステップＳ４０１はステップＳ１０１と同一の内容であり、ステップＳ４０２はステップＳ１０２と同一の内容であるため、説明を省略する。
【００５５】
ステップＳ４０３において、制御手段７は、除霜運転を開始してから結露検知手段が結露を検知したか否かを判定する。ステップＳ４０３において、制御手段７は、除霜運転を開始してから結露検知手段が結露を検知したと判定した場合には（ステップＳ４０３でＹＥＳ）、ステップＳ４０４に進む。一方、ステップＳ４０３において、制御手段７は、除霜運転を開始してから結露検知手段が結露を検知しなかったと判定した場合には（ステップＳ４０３でＮＯ）、ステップＳ４０３の判定処理を再度行う。
【００５６】
なお、結露検知手段は、例えば、その表面に水分が付着した場合に抵抗値が変化することで水分を検知する結露センサで構成される。結露検知手段は、筐体５０の内部において結露が発生し易い場所に設けられることが望ましい。結露検知手段は、例えば、室外ファンモータ支持板２４や前側面パネル５０ａの裏側（内面側）に設けられる。
【００５７】
また、結露検知手段が検知した水分の量に応じて数値化できるように構成してもよい。そして、制御手段７は、結露検知手段が検知した検知値が基準値以上であるか否かによって、ステップＳ４０３の判定処理を行うようにしてもよい。すなわち、ステップＳ４０３において、制御手段７が、結露検知手段が検知した検知値が基準値以上であると判定した場合には（ステップＳ４０３でＹＥＳ）、ステップＳ４０４に進む。一方、ステップＳ４０３において、制御手段７が、結露検知手段が検知した検知値が基準値未満であると判定した場合には（ステップＳ４０３でＮＯ）、ステップＳ４０３の判定処理を再度行う。ここで結露検知手段の検知値は、外部から入力された入力値である。また、基準値は、結露検知手段の検知値（入力値）に関連する値であり、例えば予め制御手段７に記憶されている。
【００５８】
ステップＳ４０４はステップＳ１０４と同一の内容であり、ステップＳ４０５はステップＳ１０５と同一の内容であり、ステップＳ４０６はステップＳ１０６と同一の内容であるため、説明を省略する。
【００５９】
以上のように、本発明の実施の形態４に係る空気調和機３００の室外機１００は、制御手段７が、結露検知手段が結露を検知した場合に、室外ファン２２を回転させるように室外ファンモータ２３を制御している。このため、実施の形態１と同様の効果を奏することができる。
【符号の説明】
【００６０】
１  仕切板、２  四方弁、３，４  接続バルブ、５  電子膨張弁、６  温度検知手段、７  制御手段、１０  機械室、１１  圧縮機、１２  電気品箱、２０  送風機室、２１  室外熱交換器、２２  室外ファン、２３  室外ファンモータ、２４  室外ファンモータ支持板、２５  上部板、２６  支持板接続部、５０  筐体、５０ａ  前側面パネル、５０ａ１  開口部、５０ｂ  右側面パネル、５０ｃ  底面パネル、５０ｄ  天面パネル、５０ｅ  背面パネル、１００  室外機、１２１  室内熱交換器、２００  室内機、２５０  冷媒配管、３００  空気調和機、ｄ  温度上昇率、ｇ  所定温度幅、ｔ  所定時間幅。
【図１】
2015121358.tif 000003
【図２】
2015121358.tif 000004
【図３】
2015121358.tif 000005
【図４】
2015121358.tif 000006
【図５】
2015121358.tif 000007
【図６】
2015121358.tif 000008
【図７】
2015121358.tif 000009
【図８】
2015121358.tif 000010
【図９】
2015121358.tif 000011
【図１０】
2015121358.tif 000012